(57)【要約】【課題】被写体像の輪郭線、色、及び画質を維持しながら、合焦状態を表示する撮像装置及び画像表示方法を得る。【解決手段】画像データをＤＳＰ３０が受信すると、輪郭検出部３１が、輪郭検出処理を実行する。輪郭検出処理は、画像データに含まれている被写体像の輪郭を検出して輪郭検出結果を出力する処理である。次に、合焦スコア算出部３２は、合焦スコア算出処理を実行する。合焦スコア算出処理は、輪郭検出結果に基づいて被写体像が撮像素子に合焦しているか否かを判断し、被写体像の合焦状態に応じて変化する合焦スコアを出力する処理である。次に、表示輝度算出部及び画像作成部３４が表示画像生成処理を実行する。表示画像生成処理では、表示輝度算出部３３が、合焦スコアに基づいて画像データの表示輝度を算出する。画像作成部３４が、表示輝度に基づいて、画像データに含まれる輝度データの値を調整することにより表示画像を作成する。【選択図】図１
2014228606.tif 000002
【特許請求の範囲】
【請求項１】
被写体像を撮像して画像データを出力する撮像素子と、
被写体像が撮像素子に合焦しているか否かを判断し、被写体像の合焦状態に応じて変化する合焦評価値を出力する合焦判断部と、
前記合焦評価値に基づいて前記画像データの表示輝度を算出する表示輝度算出部と、
前記表示輝度に基づいて前記画像データを表示する表示部とを備え、
前記表示輝度算出部は、前記画像データにおいて、被写体像が合焦状態に近づいていることを前記合焦評価値が示している領域を第１の領域とし、前記第１の領域よりも被写体像が合焦状態に近づいていないことを前記合焦評価値が示している領域を第２の領域とし、前記第１の領域の明るさが前記第２の領域の明るさよりも相対的に明るくなるように前記表示輝度を算出する撮像装置。
【請求項２】
前記画像データに含まれている被写体像の輪郭を検出して輪郭検出結果を出力する輪郭検出部をさらに備え、
前記合焦判断部は、前記輪郭検出結果に基づいて被写体像が撮像素子に合焦しているか否かを判断する請求項１に記載の撮像装置。
【請求項３】
前記合焦判断部は、前記画像データを複数の領域に分割し、前記領域に含まれる輪郭に基づいて被写体像が撮像素子に合焦しているかを前記領域毎に評価し、これにより前記領域毎に得られた値を前記合焦評価値として出力する請求項２に記載の撮像装置。
【請求項４】
前記表示輝度算出部は、前記第１の領域と前記第２の領域との間に位置する領域である中間領域の輝度が前記第１の領域から前記第２の領域まで連続的に変化するように、前記表示輝度を算出する請求項３に記載の撮像装置。
【請求項５】
前記表示部は、前記表示輝度に応じて前記画像データに含まれる輝度データの値を調整する請求項１から４のいずれかに記載の撮像装置。
【請求項６】
前記表示部は、背面に設けられるバックライトを備え、前記表示輝度に応じて前記バックライトの光量を調整することにより前記第１の領域、前記第２の領域、及び前記中間領域の明るさを調整する請求項１から４のいずれかに記載の撮像装置。
【請求項７】
被写体像を撮像して画像データを出力するステップと、
被写体像が撮像素子に合焦しているか否かを判断し、被写体像の合焦状態に応じて変化する合焦評価値を出力するステップと、
前記画像データにおいて、被写体像が合焦状態に近づいていることを前記合焦評価値が示している領域を第１の領域とし、前記第１の領域よりも被写体像が合焦状態に近づいていないことを前記合焦評価値が示している領域を前記第２の領域とするステップと、
前記第１の領域の明るさが前記第２の領域の明るさよりも相対的に明るくなるように表示輝度を算出するステップと、
前記表示輝度に基づいて前記画像データの明るさを調整して表示するステップとを備える画像表示方法。
【発明の詳細な説明】
【技術分野】
【０００１】
本発明は、撮影レンズの合焦状態を検知する撮像装置、及び合焦状態を表示する方法に関する。
【背景技術】
【０００２】
被写体に自動的にピントを合わせるオートフォーカス機能に加えて、あえてユーザが手動で被写体にピントを合わせるマニュアルフォーカス機能をも有する撮像装置が知られている。マニュアルフォーカス機能を用いてユーザが被写体にピントを合わせる場合、ユーザに合焦状態を確認させるため、撮像装置は被写体像を連続的に撮像し、得られた画像をスルー画像として撮像装置の背面等に配置された液晶画面（表示部）に表示する。しかしながら、表示部に電子的に表示された画像は、いわゆる一眼レフカメラのファインダに現れる光学像と比較して解像度が低いため、表示部に表示された画像を参照して合焦状態を判断する場合、一眼レフカメラの光学像を参照して合焦状態を判断する場合と比較して合焦状態を判断しづらくなるおそれがある。そこで、被写体像にピントが合っているか否かをユーザがより容易に判断できるように、例えば、合焦している部分に写っている被写体像の輪郭を強調して撮像装置からの距離に応じて被写体像を着色するとともに、合焦していない部分をモノクロで表示する（特許文献１）。
【先行技術文献】
【特許文献】
【０００３】
【特許文献１】特開２００８−１３５８１２号公報
【発明の概要】
【発明が解決しようとする課題】
【０００４】
しかし、このような撮像装置では、色の濃淡を変更した上で輪郭線を強調するため、被写体像の真の輪郭線がどこにあるかユーザがわからなくなることがある。また、色の濃淡を変更するため、輪郭線付近の画像の色が変更後の色の濃淡と近い場合には、画像が劣化して被写体像を見にくくなることがある。さらに、合焦している部分の被写体像を着色するとともに、合焦していない部分をモノクロで表示するため、実際の色を把握できなくなる。
【０００５】
本発明はこれらの問題に鑑みてなされたものであり、被写体像の輪郭線、色、及び画質を維持しながら、合焦状態を表示する撮像装置及び画像表示方法を得ることを目的とする。
【課題を解決するための手段】
【０００６】
本願第１の発明による撮像装置は、被写体像を撮像して画像データを出力する撮像素子と、被写体像が撮像素子に合焦しているか否かを判断し、被写体像の合焦状態に応じて変化する合焦評価値を出力する合焦判断部と、合焦評価値に基づいて画像データの表示輝度を算出する表示輝度算出部と、表示輝度に基づいて画像データを表示する表示部とを備え、表示輝度算出部は、画像データにおいて、被写体像が合焦状態に近づいていることを合焦評価値が示している領域を第１の領域とし、第１の領域よりも被写体像が合焦状態に近づいていないことを合焦評価値が示している領域を第２の領域とし、第１の領域の明るさが第２の領域の明るさよりも相対的に明るくなるように表示輝度を算出することを特徴とする。第１の実施形態では、画像作成部とＬＣＤとが表示部を成す。
【０００７】
画像データに含まれている被写体像の輪郭を検出して輪郭検出結果を出力する輪郭検出部をさらに備え、合焦判断部は、輪郭検出結果に基づいて被写体像が撮像素子に合焦しているか否かを判断することが好ましい。
【０００８】
合焦判断部は、画像データを複数の領域に分割し、領域に含まれる輪郭に基づいて被写体像が撮像素子に合焦しているかを領域毎に評価し、これにより領域毎に得られた値を合焦評価値として出力することが好ましい。
【０００９】
表示輝度算出部は、第１の領域と第２の領域との間に位置する領域である中間領域の輝度が第１の領域から第２の領域まで連続的に変化するように、表示輝度を算出することが好ましい。
【００１０】
表示部は、表示輝度に応じて画像データに含まれる輝度データの値を調整することが好ましい。
【００１１】
表示部は、背面に設けられるバックライトを備え、表示輝度に応じてバックライトの光量を調整することにより第１の領域、第２の領域、及び中間領域の明るさを調整してもよい。
【００１２】
本願第２の発明による画像表示方法は、被写体像を撮像して画像データを出力するステップと、被写体像が撮像素子に合焦しているか否かを判断し、被写体像の合焦状態に応じて変化する合焦評価値を出力するステップと、画像データにおいて、被写体像が合焦状態に近づいていることを合焦評価値が示している領域を第１の領域とし、第１の領域よりも被写体像が合焦状態に近づいていないことを合焦評価値が示している領域を第２の領域とするステップと、第１の領域の明るさが第２の領域の明るさよりも相対的に明るくなるように表示輝度を算出するステップと、表示輝度に基づいて画像データの明るさを調整して表示するステップとを備えることを特徴とする。
【発明の効果】
【００１３】
本発明によれば、被写体像の輪郭線、色、及び画質を維持しながら、合焦状態を表示する撮像装置及び画像表示方法を得る。
【図面の簡単な説明】
【００１４】
【図１】第１の実施形態による撮像装置を概略的に示したブロック図である。
【図２】元画像を示した図である。
【図３】輪郭検出結果を示した図である。
【図４】元画像と表示画像とを示した図である。
【図５】輝度乗算値と合焦スコアとの関係を示したグラフである。
【図６】画像表示処理を示したフローチャートである。
【図７】第２の実施形態による元画像と表示画像とを示した図である。
【発明を実施するための形態】
【００１５】
本願発明の一実施形態による撮像装置について図を用いて説明する。図１は、撮像装置の一実施形態であるデジタルカメラ１００を示す。図１を用いてデジタルカメラ１００の構成について説明する。
【００１６】
デジタルカメラ１００は、撮影レンズ１０、撮像素子であるＣＭＯＳ２０、信号処理部であるＤＳＰ３０、制御部４０、操作部５０、画像記録部６０、及びＬＣＤ（ＥＶＦ）７０を主に備える。本実施形態において、ＬＣＤ７０は表示部の一部を成す。
【００１７】
撮影レンズ１０は、レンズ群１１と、撮影レンズ１０の外周面に設けられるピント調整リング１２、及び駆動モータ１３を主に備え、デジタルカメラ１００のボディに畳まれて格納される。デジタルカメラ１００が撮影画像を記録する動作モードに設定されたとき、撮影レンズ１０はデジタルカメラ１００のボディから繰り出される。駆動モータ１３又はピント調整リング１２によりレンズ群１１が光軸方向に駆動され、これにより撮影レンズ１０が被写体に合焦してＣＭＯＳ２０に被写体像を結像させる。駆動モータ１３は制御部４０からの信号により制御されて回転し、ピント調整リング１２はユーザにより回転されて、撮影レンズ１０を被写体に合焦させる。
【００１８】
ＣＭＯＳ２０は、結像した被写体像を撮像して画像データを連続的に出力する。画像データはＤＳＰ３０に送信される。
【００１９】
ＤＳＰ３０は、輪郭検出部３１と、合焦判断部を成す合焦スコア算出部３２と、表示輝度算出部３３と、表示部の一部を成す画像作成部３４とを主に備える。
【００２０】
輪郭検出部３１は、画像データに含まれている被写体像の輪郭を検出して輪郭検出結果を出力する。合焦スコア算出部３２は、輪郭検出結果に基づいて被写体像が撮像素子に合焦しているか否かを判断し、被写体像の合焦状態に応じて変化する合焦スコア（合焦評価値）を出力する。表示輝度算出部３３は、合焦スコアに基づいて画像データの表示輝度を算出する。画像作成部３４は、表示輝度に基づいて、画像データに含まれる輝度データの値を調整する。これらの部材の詳細については後述される。本実施形態では、画像作成部３４が表示部の一部を成す。すなわち画像作成部３４とＬＣＤ７０とが表示部を成す。
【００２１】
また、ＤＳＰ３０は、受信した画像データに所定の処理を施した後、処理済みの画像データをＬＣＤ７０に連続的に送信する。ＬＣＤ７０は、液晶パネル７１と複数のバックライト７２を備え、デジタルカメラ１００の背面に設けられ、あるいは電子ビューファインダ（ＥＶＦ）として設けられる。液晶パネル７１は受信した画像データを表示し、バックライト７２は液晶パネル７１の背後から照明光を照射する。これにより、ＣＭＯＳ２０が現在撮像している画像データが動画としてＬＣＤ７０に表示される。この動画をスルー画像又はライブビューと呼ぶ。またＤＳＰ３０は、受信した画像データに応じて絞り値を算出する。算出された絞り値は制御部４０に送信される。制御部４０は受信した絞り値に応じて、絞り羽根を駆動制御する。
【００２２】
ＤＳＰ３０には、操作部５０が接続される。操作部５０は、シャッターレリーズボタンを備える。シャッターレリーズボタンは二段階スイッチであり、ユーザが半押しすると半押し信号をＤＳＰ３０に送信し、全押しすると全押し信号をＤＳＰ３０に送信する。シャッターレリーズボタンが操作されていないとき、ＤＳＰ３０は、受信した画像データをＬＣＤ７０に連続的に送信し、ＬＣＤ７０は、ＣＭＯＳ２０が現在撮像している画像データをスルー画像として表示する。ＤＳＰ３０が半押し信号を受信すると、受信した画像データに応じて、絞り値を算出し、撮影レンズ１０の位置をロックさせる。その後ＤＳＰ３０が全押し信号を受信すると、算出済みの絞り値で絞り羽根を駆動させ、ＣＭＯＳ２０に被写体像を撮像させる。そしてＣＭＯＳ２０から取得した画像データに対して所定の画像処理を施して画像ファイルを作成し、画像記録部６０に送信する。画像記録部６０は、デジタルカメラ１００に対して着脱自在となるように設けられる、例えばＳＤカードであって、受信した画像ファイルを保存する。
【００２３】
デジタルカメラ１００は、自動的に被写体像に撮影レンズ１０を合焦させるオートフォーカス（ＡＦ）モードと、ユーザが自らの手でピント調整リング１２を回転させて被写体像に撮影レンズ１０を合焦させるマニュアルフォーカス（ＭＦ）モードで動作可能である。デジタルカメラ１００がマニュアルフォーカスモードで動作しているとき、ＣＭＯＳ２０は被写体像を連続的に撮像し、ＬＣＤ７０は得られた画像をスルー画像として表示する。
【００２４】
図２から４を用いて、デジタルカメラ１００がマニュアルフォーカスモードで動作しているときのＤＳＰ３０の動作について説明する。このとき、デジタルカメラ１００は画像表示処理を実行する。画像表示処理は、輪郭検出処理、合焦スコア算出処理、及び表示画像生成処理により主に構成される。
【００２５】
図２に示すような画像データをＤＳＰ３０が受信すると、輪郭検出部３１が、輪郭検出処理を実行する。輪郭検出処理は、画像データに含まれている被写体像の輪郭を検出して輪郭検出結果を出力する処理である。輪郭検出結果を図３に示す。次に、合焦スコア算出部３２は、合焦スコア算出処理を実行する。合焦スコア算出処理は、輪郭検出結果に基づいて被写体像が撮像素子に合焦しているか否かを判断し、被写体像の合焦状態に応じて変化する合焦スコアを出力する処理である。次に、表示輝度算出部及び画像作成部３４が表示画像生成処理を実行する。表示画像生成処理では、表示輝度算出部３３が、合焦スコアに基づいて画像データの表示輝度を算出する。画像作成部３４が、表示輝度に基づいて、画像データに含まれる輝度データの値を調整することにより表示画像を作成する。これにより図４に示すような表示画像が作成される。画像表示処理が画像データを処理して得られる画像を表示画像といい、画像データを画像表示処理により処理しない画像を元画像という。
【００２６】
次に、図２及び３を用いて輪郭検出処理について詳細に説明する。
【００２７】
画像データは、ＹＵＶ色空間又はＹＣｂＣｒ色空間により定義されるデータである。画像データがこれ以外の色空間、例えばＲＧＢ色空間により定義される場合、公知の変換式により、ＹＵＶ色空間又はＹＣｂＣｒ色空間により定義されるデータに変換される。
【００２８】
まず、輪郭検出部３１が、画像データの輝度信号Ｙに対して輪郭検出フィルタを掛けて輪郭検出結果を作成する。輪郭検出フィルタは、画像データにおいて隣接する画素との輝度の差が大きい画素に対して計算結果が大きくなる特性を有し、例えばＳｏｂｅｌフィルタが用いられる。この計算結果が大きくなる画素が、撮影レンズ１０の焦点が合っている画素である。画像データの輝度をＩ（ｘ，ｙ）とすると、輪郭検出結果Ｅ（ｘ，ｙ）は、Ｓｏｂｅｌフィルタを用いた以下の式により求められる。
【数１】
2014228606.tif 000003
【００２９】
これにより、図２に示すような画像データから図３に示すような輪郭検出結果が得られる。図３を参照すると、画像データの中心より少し下の部分の輝度が高くなっている。この輝度が高い部分が、前述した計算結果が大きくなる画素であり、撮影レンズ１０が合焦している部分である。なお、図３では輪郭検出結果を便宜的に画像により示しているが、輪郭検出結果は前述のように数値により構成される。
【００３０】
次に合焦スコア算出処理について詳細に説明する。合焦スコア算出処理では、合焦スコア算出部３２が、輪郭検出結果を用いて合焦スコア（合焦評価値）を算出する。合焦スコアは、撮影レンズ１０が被写体に合焦している可能性を示す値であり、複数の画素から成る領域毎に求められる。この領域が矩形のＭ×Ｎ行列であるとした場合における合焦スコア合焦スコアＳｕｍ＿Ｅ（Ｘ，Ｙ）の算出式を以下に示す。
【数２】
2014228606.tif 000004
【００３１】
次に図４及び５を用いて表示画像生成処理について詳細に説明する。
【００３２】
まず、合焦スコアに基づいて画像データの表示輝度を表示輝度算出部３３が算出する処理について説明する。表示輝度算出部３３は、合焦スコアに応じて領域毎に決定される輝度乗算値を各画素の輝度値に乗じることにより、表示輝度を算出する。輝度乗算値を決定する手段について説明する。最も大きな合焦スコアを持つ領域に乗じる最大輝度乗算値Ｌｍａｘと、最も小さな合焦スコアを持つ領域に乗じる最小輝度乗算値Ｌｍｉｎとをまず決定する。例えば、最大輝度乗算値Ｌｍａｘは１．５であり、最小輝度乗算値Ｌｍｉｎは０．５である。ここで、最も大きな合焦スコアを最大合焦スコアＳｕｍＥ＿ｍａｘ（Ｘ，Ｙ）とし、最も小さな合焦スコアを最小合焦スコアＳｕｍＥ＿ｍｉｎ（Ｘ，Ｙ）とすると、輝度乗算値Ｌ（Ｘ，Ｙ）は以下の式及び図５に示すグラフにより求められる。
【数３】
2014228606.tif 000005
【００３３】
これにより、最も大きな合焦スコアを持つ領域と最も小さな合焦スコアを持つ領域との間に位置する中間領域の輝度が、最も大きな合焦スコアを持つ領域から最も小さな合焦スコアを持つ領域まで連続的に変化するように表示輝度を算出できる。
【００３４】
次に、表示輝度に基づいて、画像データに含まれる輝度データの値を画像作成部３４が調整して表示画像を作成する処理について説明する。
【００３５】
画像作成部３４は、画像データに含まれる輝度データＩ（ｘ，ｙ）に輝度乗算値Ｌ（Ｘ，Ｙ）を乗じて、表示画像が有する各画素の輝度Ｉｏ（ｘ，ｙ）を決定する。画像データの色差成分は変更されない。輝度Ｉｏ（ｘ，ｙ）は線形関数であり、以下の式により求められる。
【数４】
2014228606.tif 000006
【００３６】
次に、図４を用いて元画像と表示画像について説明する。図４は、格子模様が描かれた板と、その板の上に置かれた直方体及び円柱とを撮影して得られた元画像と表示画像である。図４の左列が元画像を示し、右列が表示画像を示す。
【００３７】
図４（ａ）は、撮影レンズ１０が最も手前に合焦している状態において得られた元画像と表示画像である。デジタルカメラ１００に用いられるＬＣＤ７０や電子ビューファインダは画素数が少ないため、画像を鮮明に表示することができない。そのため、元画像のようにＣＭＯＳ２０から得られた画像をそのまま表示すると、合焦しているか否かを判断することが困難な場合がある。しかしながら、表示画像は、合焦している部分を明るく表示し、合焦していない部分を暗く表示するため、ユーザは、合焦している部分を明確に認識することができる。図４（ｂ）は、図４（ａ）よりも奥側に撮影レンズ１０が合焦している状態において得られた元画像と表示画像である。図４（ａ）に示される表示画像と図４（ｂ）に示される表示画像とを比較すると、明るい部分が図４（ａ）よりも奥側に移動していることがわかる。図４（ｃ）は、図４（ｂ）よりも奥側に撮影レンズ１０が合焦している状態において得られた元画像と表示画像である。図４（ｂ）に示される表示画像と図４（ｃ）に示される表示画像とを比較すると、明るい部分が図４（ｂ）よりも奥側に移動していることがわかる。図４（ｄ）は、図４（ｃ）よりも奥側に撮影レンズ１０が合焦している状態において得られた元画像と表示画像である。図４（ｃ）に示される表示画像と図４（ｄ）に示される表示画像とを比較すると、明るい部分が図４（ｃ）よりも奥側に移動していることがわかる。つまり、撮影レンズ１０の合焦位置が手前から奥に向けて移動するようにピント調整リング１２を動かすと、図４（ａ）から（ｄ）に向けて明るい部分が移動する。ユーザは、合焦させたい被写体像が最も明るくなったときに、その被写体に撮影レンズ１０が合焦していると判断できる。
【００３８】
次に、図６を用いて画像表示処理について説明する。
【００３９】
初めのステップＳ６１では、輪郭検出部３１が、画像データを受信して輪郭検出処理を実行する。これにより輪郭検出結果が求められる。
【００４０】
次のステップＳ６２では、合焦スコア算出部３２が合焦スコア算出処理を実行する。これにより合焦スコアが求められる。
【００４１】
次のステップＳ６３では、表示輝度算出部及び画像作成部３４が表示画像生成処理を実行する。これにより表示画像が作成される。
【００４２】
次のステップＳ６４では、ＬＣＤ７０が表示画像を表示する。
【００４３】
次のステップＳ６５では、シャッターレリーズが半押し又は全押しされたか否かを判断する。シャッターレリーズが半押し又は全押しされた場合、処理は終了し、そうでない場合、処理はステップＳ６１に戻り、ステップＳ６１からステップＳ６５までの処理を再度実行する。
【００４４】
本実施形態によれば、合焦の程度に応じて元画像の明るさが領域毎に変更されて表示されると共に、撮影レンズ１０が最も合焦している部分の画像が最も明るく表示され、撮影レンズ１０が最も合焦していない部分の画像が最も暗く表示される。また、撮影レンズ１０が最も合焦している部分と最も合焦していない部分との間の明るさが連続的に変化するため、ユーザが画像に違和感を感じない。
【００４５】
また、被写体像の輪郭線、色、及び画質については処理を行わないため、これらを維持しながら、合焦状態を表示することができる。
【００４６】
次に、図７を用いて第２の実施形態について説明する。第１の実施形態と同様の構成については同じ符号を付して説明を省略する。第１の実施形態では、輝度乗算値が領域毎に決定され、これを使用して各画素の輝度を決定したが、第２の実施形態では、画像作成部３４が、隣接する領域の合焦スコアに基づいて輝度Ｉｏ（ｘ，ｙ）を線形補間する。
【００４７】
第１の実施形態では、輝度乗算値は領域毎に決定されるため、同じ領域に含まれる画素の輝度には一律の輝度乗算値が乗じられていた。そのため、図４に示す表示画像では、領域の境界に輝度の段差が出来てしまう。この段差が被写体像を見づらくして、被写体像の合焦状態をユーザが適切に把握できなくなるおそれがある。しかしながら本実施形態によれば、図７に示すように、領域の境界に輝度の段差が出来ないため、ユーザが被写体像を見やすくなり、被写体像の合焦状態を適切に把握できる。
【００４８】
次に、図７を用いて元画像と表示画像について説明する。図７は、格子模様が描かれた板と、その板の上に置かれた直方体及び円柱とを撮影して得られた元画像と表示画像である。図７の左列が元画像を示し、右列が表示画像を示す。
【００４９】
図７（ａ）は、撮影レンズ１０が最も手前に合焦している状態において得られた元画像と表示画像である。デジタルカメラ１００に用いられるＬＣＤ７０や電子ビューファインダは画素数が少ないため、画像を鮮明に表示することができない。そのため、元画像のようにＣＭＯＳ２０から得られた画像をそのまま表示すると、合焦しているか否かを判断することが困難な場合がある。しかしながら、表示画像は、合焦している部分を明るく表示し、合焦していない部分を暗く表示するため、ユーザは、合焦している部分を明確に認識することができる。図７（ｂ）は、図７（ａ）よりも奥側に撮影レンズ１０が合焦している状態において得られた元画像と表示画像である。図７（ａ）に示される表示画像と図７（ｂ）に示される表示画像とを比較すると、明るい部分が図７（ａ）よりも奥側に移動していることがわかる。図７（ｃ）は、図７（ｂ）よりも奥側に撮影レンズ１０が合焦している状態において得られた元画像と表示画像である。図７（ｂ）に示される表示画像と図７（ｃ）に示される表示画像とを比較すると、明るい部分が図７（ｂ）よりも奥側に移動していることがわかる。図７（ｄ）は、図７（ｃ）よりも奥側に撮影レンズ１０が合焦している状態において得られた元画像と表示画像である。図７（ｃ）に示される表示画像と図７（ｄ）に示される表示画像とを比較すると、明るい部分が図７（ｃ）よりも奥側に移動していることがわかる。つまり、撮影レンズ１０の合焦位置が手前から奥に向けて移動するようにピント調整リング１２を動かすと、図７（ａ）から（ｄ）に向けて明るい部分が移動する。ユーザは、合焦させたい被写体像が最も明るくなったときに、その被写体に撮影レンズ１０が合焦していると判断できる。
【００５０】
本実施形態によれば、第１の実施形態と同様の効果を得る。また、領域の境界に輝度の段差が出来ないため、ユーザが被写体像を見やすくなり、被写体像の合焦状態を適切に把握できる。
【００５１】
次に、図１を用いて第３の実施形態について説明する。第１の実施形態と同様の構成については同じ符号を付して説明を省略する。第３の実施形態は、画像作成部３４が表示画像を作成せず、ＬＣＤ７０は元画像を表示し、ＬＣＤ７０が備える複数のバックライト７２の光量を調節することにより、合焦している領域の明るさを調節する点が第１の実施形態と異なる。よって、これについて以下に説明する。
【００５２】
輪郭検出処理及び合焦スコア算出処理は、第１の実施形態と同じであるため、説明を省略する。本実施形態では、画像作成部３４とＬＣＤ７０とが表示部を成し、表示輝度算出部３３が合焦スコアに基づいて画像データの表示輝度を算出する。しかし、画像作成部３４は表示画像を作成しない。表示輝度算出部３３が算出した表示輝度に基づいて、画像作成部３４が各バックライト７２の輝度を、複数の画素から成る領域毎に求める。そして、ＤＳＰ３０は元画像をＬＣＤ７０に送信し、液晶パネル７１が元画像を表示する。バックライト７２は、画像作成部３４が決定した輝度に応じて領域毎に発光する。これにより、合焦の程度に応じて元画像の明るさが領域毎に変更されて表示される。
【００５３】
本実施形態によれば、第１の実施形態と同様の効果を得る。
【００５４】
なお、輪郭検出フィルタはＳｏｂｅｌフィルタに限定されず、被写体像の輪郭を検出可能な手段であれば、他の手段であってもよい。また、Ｓｏｂｅｌフィルタとして示した行列、すなわちパラメータは一例であって、他の値であってもよい。
【００５５】
なお、合焦スコア算出処理における領域は矩形領域に限定されない。
【００５６】
最大輝度乗算値Ｌｍａｘは１．５に限定されず、最小輝度乗算値Ｌｍｉｎは０．５に限定されない。
【００５７】
輝度Ｉｏ（ｘ，ｙ）を求める式は前述のものに限定されず、線形関数でなくてもよい。
【００５８】
なお、画像データを複数の領域に分割して表示輝度を算出したが、画素毎に輝度を算出、あるいは画素毎にバックライト７２の光量を調節してもよい。
【００５９】
ＣＭＯＳ２０の代わりにＣＣＤ等の固体撮像素子が用いられても良い。
【００６０】
ピント調整リング１２の代わりに、シーソースイッチ、ダイヤル、及びレバー等のスイッチを用いてピントを調整してもよい。
【００６１】
デジタルカメラ１００は、いわゆるコンパクトカメラ、一眼レフカメラ、ミラーレス一眼カメラであっても良い。
【符号の説明】
【００６２】
１０    撮影レンズ
１１    レンズ群
１２    ピント調整リング
１３    駆動モータ
２０    ＣＭＯＳ
３０    ＤＳＰ
３１    輪郭検出部
３２    合焦スコア算出部
３３    表示輝度算出部
３４    画像作成部
４０    制御部
５０    操作部
６０    画像記録部
７０    ＬＣＤ
７１    液晶パネル
７２    バックライト
１００  デジタルカメラ
【図１】
2014228606.tif 000007
【図５】
2014228606.tif 000008
【図６】
2014228606.tif 000009
【図２】
2014228606.tif 000010
【図３】
2014228606.tif 000011
【図４】
2014228606.tif 000012
【図７】
2014228606.tif 000013